(57)【要約】 【課題】新規な構成で蓋体の開閉時の移動軌跡を非直線とすることができる蓋付き収納装置を提供する。【解決手段】蓋付き収納装置は、ケース１に設けられた固定ギヤ１１と、可動蓋２に設けられたリッドギヤ２３と、固定ギヤ１１とリッドギヤ２３との間に設けられ固定ギヤ１１及びリッドギヤ２３に噛合している遊星ギヤ５２とを備える。【選択図】図３
2017087787.tif 000002
【特許請求の範囲】
【請求項１】
収容部を有するケースと、前記収容部を開閉可能に被覆する蓋体とを備えた蓋付き収納装置であって、
前記ケースに設けられた固定ギヤと、前記蓋体に設けられたリッドギヤと、前記固定ギヤと前記リッドギヤとの間に設けられ前記固定ギヤ及び前記リッドギヤに噛合している遊星ギヤとを更に備えることを特徴とする蓋付き収納装置。
【請求項２】
前記リッドギヤの回転中心の移動軌跡は、前記固定ギヤを中心とする弧状である請求項１に記載の蓋付き収納装置。
【請求項３】
前記固定ギヤの回転中心、前記リッドギヤの回転中心及び前記遊星ギヤの回転中心に連結された補助部材を更に備える請求項１又は２に記載の蓋付き収納装置。
【請求項４】
前記リッドギヤ及び前記固定ギヤは、固定ギヤの１歯当たりの角度α及びリッドギヤの１歯当たりの角度βが０．８≦α／β≦１．２の関係となるように設定されている請求項１〜３のいずれかに記載の蓋付き収納装置。
【請求項５】
前記ケースには、前記固定ギヤの回転中心を中心とする円弧形状であって前記遊星ギヤの回転中心を移動可能に保持するガイド溝が設けられている請求項１〜４のいずれかに記載の蓋付き収納装置。
【発明の詳細な説明】
【技術分野】
【０００１】
本発明は、蓋付き収納装置に関する。
【背景技術】
【０００２】
車両室内のインストルメントパネルや座席中央のセンターコンソールには、蓋付き収納装置が設けられていることが多い。蓋付き収納装置は、収容部を有するケースと、収容部を開閉可能に被覆する蓋体とを備えている。従来の蓋付き収納装置の多くは、特許文献１〜４に開示されているように、ケースと蓋体との間にスライド部材を設けて、スライド部材により蓋体をケースに対してスライド移動させることにより、蓋体をケースに対して開閉移動させていた。
【先行技術文献】
【特許文献】
【０００３】
【特許文献１】特開２００８−３７２０３号公報
【特許文献２】特開２０１４−１２４７２号公報
【特許文献３】特開２０１３−１２６１号公報
【特許文献４】特開２００９−２８０００５号公報
【特許文献５】特開２００９−２０２８４６号公報
【発明の概要】
【発明が解決しようとする課題】
【０００４】
しかしながら、スライド部材を用いて蓋体をスライド移動させた場合、蓋体の移動軌跡は水平方向の直線に限られていた。
【０００５】
一方で、蓋体の移動軌跡を非直線にしたいという要望があった。たとえば、蓋体を固定蓋と可動蓋とから構成し、可動蓋は閉時には固定蓋と同じ高さで固定蓋に隣接させ、開時には可動蓋を固定蓋の上に重ねる開時重なりタイプの収納装置（図１参照）の開発が望まれている。このタイプの収納装置では、可動蓋は、閉位置と開位置とで高さが異なる。このため、移動軌跡が直線に限られた従来のスライド式の蓋体を、開時重なりタイプの可動蓋として用いることはできない。蓋体の移動軌跡を非直線にして、高低差のある蓋体の移動を可能とすることが望まれている。
【０００６】
特許文献５には、蓋体の端部に回動軸を設けて、蓋体を回動軸を中心に揺動させることで、蓋体を開閉させることが開示されている。このように蓋体を揺動させて開閉させると、蓋体の移動軌跡は、曲線を描く。
【０００７】
本発明者は、特許文献５とは異なる構成で蓋体を非直線状に移動させる構成を開発した。
【０００８】
本発明はかかる事情に鑑みてなされたものであり、新規な構成で蓋体の開閉時の移動軌跡を非直線とした蓋付き収納装置を提供することを課題とする。
【課題を解決するための手段】
【０００９】
本発明の蓋付き収納装置は、収容部を有するケースと、前記収容部を開閉可能に被覆する蓋体とを備えた蓋付き収納装置であって、
前記ケースに設けられた固定ギヤと、前記蓋体に設けられたリッドギヤと、前記固定ギヤと前記リッドギヤとの間に設けられ前記固定ギヤ及び前記リッドギヤに噛合している遊星ギヤとを更に備えることを特徴とする。
【発明の効果】
【００１０】
本発明によれば、固定ギヤとリッドギヤとの間に遊星ギヤを設けて、遊星ギヤを固定ギヤ及びリッドギヤに噛合させている。蓋体に荷重を加えると蓋体が開方向又は閉方向に移動して、リッドギヤが遊星ギヤを回転移動させる。
【００１１】
ここで遊星ギヤが１つである場合、遊星ギヤは、固定ギヤを太陽ギヤとして、固定ギヤを中心に円弧状に公転しながら自転する。リッドギヤは、遊星ギヤの公転自転により、固定ギヤを中心に円弧状に公転しながら自転する。リッドギヤを設けた蓋体は、固定ギヤを設けたケースに対して、円弧状の移動軌跡を描きながら開閉移動する。蓋体の移動軌跡は、円弧状の曲線となる。
【００１２】
遊星ギヤが複数あり、複数の遊星ギヤが互い噛合している場合には、遊星ギヤの数及び径により、蓋体は更に複雑な曲線を描いて開閉移動させることができる。したがって、本発明によれば、蓋体の開位置と閉位置とで高低差をつけることが可能となる。
【００１３】
また、本発明では、蓋体にスライド部材を設けていないため、蓋体を軽量化することができる。
【００１４】
以上のように、本発明によれば、新規な構成で蓋体の開閉時の移動軌跡を非直線とした蓋付き収納装置を提供することができる。
【図面の簡単な説明】
【００１５】
【図１】本発明の第１の実施形態の蓋付き収納装置の斜視図である。
【図２】第１の実施形態の蓋付き収納装置のケース、固定蓋、可動蓋、遊星ギヤ及び補助部材の分解斜視図である。
【図３】第１の実施形態の蓋付き収納装置の左側面図である。
【図４】第１の実施形態の蓋付き収納装置の右側面図である。
【図５】第１の実施形態の蓋付き収納装置の作動を示すための左側面図である。
【図６】リッドギヤの１歯当たりの角度βが固定ギヤの１歯当たりの角度αよりも小さい場合の蓋付き収納装置の作動を示すための左側面図である。
【図７】リッドギヤの１歯当たりの角度βが固定ギヤの１歯当たりの角度αよりも大きい場合の蓋付き収納装置の作動を示すための左側面図である。
【図８】第１の実施形態の蓋付き収納装置のケース、引出部材、ホルダ板、及びギヤ部の分解斜視図である。
【図９】第１の実施形態の引出部材の左側面図である。
【図１０】図１２のＡ−Ａ矢視断面図である。
【図１１】図１２のＢ−Ｂ矢視断面図である。
【図１２】図１０のＣ−Ｃ矢視断面図である。
【図１３】図１０のＤ−Ｄ矢視断面図である。
【図１４】第１の実施形態において、可動蓋が閉位置にあり、引出部材がケースから引き出されたときの、図１０のＤ−Ｄ矢視線で切断した蓋付き収納装置の断面図である。
【図１５】第１の実施形態において、可動蓋が開位置にあり、引出部材がケースから引き出されたときの、図１０のＤ−Ｄ矢視線で切断した蓋付き収納装置の断面図である。
【図１６】第１の実施形態において、可動蓋が開位置にあり、飲料容器が保持穴に挿入された状態で引出部材がケース内に収容されているときの、図１０のＤ−Ｄ矢視線で切断した蓋付き収納装置の断面図である。
【図１７】第１の実施形態において、可動蓋が開位置にあり、飲料容器が保持穴に挿入された状態で引出部材がケースから引き出されているときの、図１０のＤ−Ｄ矢視線で切断した蓋付き収納装置の断面図である。
【図１８】第１の実施形態において、可動蓋が閉位置にあり、飲料容器が保持穴に挿入された状態で引出部材がケースから引き出されているときの、図１０のＤ−Ｄ矢視線で切断した蓋付き収納装置の断面図である。
【図１９】第２の実施形態の、蓋体が閉位置にあるときの蓋付き収納装置の斜視図である。
【図２０】第２の実施形態の、蓋体が開位置にあるときの蓋付き収納装置の斜視図である。
【図２１】第２の実施形態の、蓋体が上側に揺動したときの蓋付き収納装置の斜視図である。
【図２２】第２の実施形態の、蓋体が閉位置にあるときの蓋付き収納装置の一部切欠き左側面図である。
【図２３】図２２のＥ−Ｅ矢視断面図である。
【図２４】第２の実施形態の、蓋体の作動を示すための蓋付き収納装置の一部切欠き左側面図である。
【発明を実施するための形態】
【００１６】
（第１の実施形態）
本発明の実施形態に係る蓋付き収納装置について図面を用いて説明する。
【００１７】
蓋付き収納装置は、車両の室内のインストルメントパネルの運転席側に設けられている。明細書及び図面において、上、下、右、左、前、後は、運転席に着座した乗員からみた方向である。
【００１８】
図１，図２に示すように、蓋付き収納装置は、収容部１０を有するケース１と、収容部１０を開閉可能に被覆する可動蓋２と、収容部１０を被覆する固定蓋３とを備えている。
【００１９】
図２に示すように、ケース１は、略直方体を呈しており、内部に収容部１０が設けられている。ケース１は、左右両側の一対の側壁１ａ、１ａと前壁１ｂと底壁１ｃとを一体に有し、これらの壁は収容部１０を囲んでいる。収容部１０には、後述する引出部材６が前後方向に出し入れ可能に収容されている（図８）。
【００２０】
図２に示すように、可動蓋２及び固定蓋３は、収容部１０を被覆している。固定蓋３は収容部１０の前側を被覆している。固定蓋３の下には取付板３１が配設されている。図２，図１３に示すように、取付板３１の左右両側及び前側に設けた縦壁部３１ｂには、Ｕ字状の係合穴３１ｃが設けられている。ケース１の左右両側の側壁１ａ及び前壁１ｂにはボス部１ｄが設けられている。ボス部１ｄを取付板３１の係合穴３１ｃに挿入してビス１ｋで締結することで取付板３１がケース１に固定されている。取付板３１には固定蓋３がビス締結などで固定されている。
【００２１】
図３，図４に示すように、可動蓋２は、収容部１０を開閉可能に被覆している。可動蓋２が閉位置にあるときには、可動蓋２は固定蓋３の後方に隣接して互いに同じ高さに位置している。図１に示すように、可動蓋２が開位置にあるときには、可動蓋２は、閉位置よりも前側に移動されて固定蓋３の上に重ねられている。
【００２２】
図２に示すように、可動蓋２の左右両側には一対のアーム２２が下側に向けて突設されている。アーム２２の下側にはリッドギヤ２３が設けられている。リッドギヤ２３は、中心穴２３ａをもち、中心穴２３ａを中心とする円弧状をなす。
【００２３】
ケース１の左右両側の側壁１ａの外側には、固定ギヤ１１が設けられている。固定ギヤ１１は、側壁１ａの下縁から上側に向けて略半円弧形状に形成されている。ケース１の底壁１ｃの左右両側の縁部近傍には略円板状の取付凸部１ｅが下方に向けて突設されている。取付凸部１ｅには固定ギヤ１１の中心穴１１ａが形成されている。
【００２４】
図２，図３，図４に示すように、固定ギヤ１１とリッドギヤ２３との間には、１つの遊星ギヤ５２が設けられている。遊星ギヤ５２は、平歯ギヤであり、全周に歯を配列させている。遊星ギヤ５２の中心には中心穴５２ａが設けられている。本実施形態では、遊星ギヤ５２は１つの平歯ギヤであるが、複数のギヤを連結させたものでもよい。ケース１の側壁１ａには、固定ギヤ１１の中心を中心とする円弧形状のガイド溝１２が設けられている。
【００２５】
遊星ギヤ５２の中心穴５２ａに挿入されているビス５５の頭部は、ケース１のガイド溝１２に移動可能に挿入されている。可動蓋２を押すことによりリッドギヤ２３を移動させると、遊星ギヤ５２は、ビス５５の頭部を中心に自転しながら、固定ギヤ１１の周囲を円弧状に公転する。
【００２６】
固定ギヤ１１と遊星ギヤ５２とリッドギヤ２３には、補助部材５が設けられている。補助部材５は略三角形を呈しており、その３つのコーナー部にそれぞれ取付穴５ａ、５ｂ、５ｃが開口している。リッドギヤ２３の中心穴２３ａと取付穴５ａ、及び遊星ギヤ５２の中心穴５２ａと取付穴５ｂには、それぞれビス５５が挿入されてビス５５の先端に図略のナットが締結されることで、リッドギヤ２３と遊星ギヤ５２は、中心穴２３ａ、５２ａを回転中心として、補助部材５に回転自在に連結されている。
【００２７】
また、左右両側の補助部材５の間には、連結棒５６が設けられている。左右両側の固定ギヤ１１の中心穴１１ａ及び補助部材５の取付穴５ｃにビス５５を挿入し、更に連結棒５６の両端のネジ穴５６ａにビス５５先端を嵌合することにより、連結棒５６は左右の補助部材５に連結されている。連結棒５６により、左右両側の補助部材５は同期して安定に移動する。補助部材５は、固定ギヤ１１の中心穴１１ａを中心として揺動する。補助部材５により、固定ギヤ１１、遊星ギヤ５２及びリッドギヤ２３を連結することで、固定ギヤ１１に対して遊星ギヤ５２とリッドギヤ２３は安定に揺動する。なお、補助部材５を用いなくても、遊星ギヤ５２とリッドギヤ２３は移動可能である。
【００２８】
補助部材５とケース１との間には付勢部材５８が設けられている。付勢部材５８は、可動蓋２が閉位置に位置する方向に補助部材５を付勢している。
【００２９】
ここで、本実施形態において、図３に示すように、固定ギヤ１１の１歯当たりの角度αがリッドギヤ２３の１歯当たりの角度βと同じである。このため、図５に示すように、リッドギヤ２３が回転したとき、リッドギヤ２３において遊星ギヤ５２が移動する部分の回転角度は、固定ギヤ１１において遊星ギヤ５２が移動する部分の回転角度と同じとなる。可動蓋２の開閉移動のときに、ケース１に対する可動蓋２の姿勢（向き）は変化しない。可動蓋２は、水平に姿勢を維持した状態で開閉移動する。
【００３０】
一方、図６に示すように、リッドギヤ２３の１歯当たりの角度βが固定ギヤ１１の１歯当たりの角度αよりも小さい場合には、リッドギヤ２３が回転したとき、リッドギヤ２３において遊星ギヤ５２が移動する部分の回転角度は、固定ギヤ１１において遊星ギヤ５２が移動する部分の回転角度よりも小さくくなる。可動蓋２が閉位置で水平方向に向いた状態から、可動蓋２が開位置に向けて移動するに伴って、可動蓋２の進行方向の前端が、後端よりも下側に傾斜した状態に変化する。
【００３１】
図７に示すように、リッドギヤ２３の１歯当たりの角度βが固定ギヤ１１の１歯当たりの角度αよりも大きい場合には、リッドギヤ２３が回転したとき、リッドギヤ２３において遊星ギヤ５２が移動する部分の回転角度は、固定ギヤ１１において遊星ギヤ５２が移動する部分の回転角度よりも大きくなる。可動蓋２が閉位置で水平方向に向いた状態から、可動蓋２が開位置に向けて移動するに伴って、可動蓋２の進行方向の前端が、逆方向の後端よりも上側に傾斜した状態に変化する。
【００３２】
図２，図４に示すように、左右一対の補助部材５のうち右側の補助部材５にはリッド開閉ダンパ装置５７が設けられている。リッド開閉ダンパ装置５７は、固定部５７ａと、固定部５７ａに対して回転可能な可動部５７ｂとを有する。可動部５７ｂにはダンパギヤ５７ｃが設けられている。図４に示すように、ダンパギヤ５７ｃは、ケース１の右側の側壁１ａに設けられた円弧状のガイド溝１４に移動可能に配置され、ガイド溝１４の下面に形成されたラックギヤ１４ａに噛合している。可動蓋２の移動により補助部材５が移動されるとき、リッド開閉ダンパ装置５７も移動される。ダンパギヤ５７ｃはラックギヤ１４ａ上を移動する。ダンパギヤ５７ｃが回転すると、可動部５７ｂは固定部５７ａに対して、両者間に設けられた粘性液体の流動抵抗により、回転速度の急激な変化が抑制される。可動蓋２は急激な速度変化を抑えて移動する。
【００３３】
図２，図５に示すように、左右一対の補助部材５のうち左側の補助部材５には、可動蓋２の開位置を規制する規制部材５１が設けられている。ケース１の左側の側壁１ａには、キャッチャ１３が設けられている。規制部材５１は、固定部５１ｂと、固定部５１ｂから突出する規制突部５１ａとを有する。固定部５１ｂが補助部材５の前側に設けられた取付部にネジ締結されることで、規制部材５１は補助部材５に固定されている。
【００３４】
キャッチャ１３は、枠体１３ａと、枠体１３ａに固定される筒部１３ｂと、筒部１３ｂの後端に開閉可能に設けられた一対のガイド爪１３ｃ、１３ｃとを有する。枠体１３ａに設けられた取付穴１３ｄ及び、ケース１の側壁１ａに突設されたボス部１ｅにビス１３ｅを挿入することで、キャッチャ１３はケース１に保持されている。ガイド爪１３ｃの開閉は、筒部１３ｂ内部に装着されている図略のハートカム装置などのロック機構により制御されている。図５に示すように、補助部材５の規制突部５１ａが筒部１３ｂ内部に挿入されてロック機構を押した時には、ガイド爪１３ｃは閉じて規制突部５１ａを保持する。ガイド爪１３ｃが閉じているときに、可動蓋２を下側に押すことで規制突部５１ａをロック機構に向けて押し込むと、ガイド爪１３ｃは開くように構成されている。なお、キャッチャ１３は、可動蓋２が開位置にあるときに補助部材５の規制突部５１ａを保持できる構成であれば特に限定しない。
【００３５】
図８，図１０に示すように、ケース１の収容部１０には、引出部材６が出し入れ可能に収容されている。引出部材６は、左右両側の側内壁６ａと前内壁６ｂと底内壁６ｃと後内壁６ｄとを有し、これらは内部空間６０を囲んでいる。引出部材６の内部空間６０の略半分程度はホルダ板７で被覆されている。ホルダ板７は、板状部７１と、板状部７１に形成された保持穴７０と、板状部７１の左右両側に下側に延びる屈曲部７２とを有する。図１に示すように、保持穴７０に飲料容器Ｌが挿入されることで、ホルダ板７はカップホルダとして用いられる。図１１に示すように、屈曲部７２は、引出部材６の左右両側の側内壁６ａの外側に配置されて、ホルダ板７を引出部材６の上に保持している。
【００３６】
ここで、図１０，図１１に示すように、ケース１と引出部材６とホルダ板７との間には、引出部材６及びホルダ板７を前後方向にスライドさせるスライド機構８が設けられている。スライド機構８は、引出スライド部８１と、ホルダ板スライド部８２と、引出付勢部材８３と、引出ダンパ装置８４と、ギヤ部８５と、ロック機構８６とを有する。
【００３７】
図１０に示すように、引出スライド部８１は、引出部材６の左右両側の側内壁６ａ及び底内壁６ｃにそれぞれ回転自在に設けられたローラ６１と、ケース１の左右両側の側壁１ａ及び底壁１ｃの内面に設けられた一対のガイド部１ｆとを有する。ローラ６１は側内壁６ａ及び底内壁６ｃにビス６ｅで支持されている。ローラ６１の周面は、滑動抵抗の低い滑面である。ローラ６１は、ケース１の一対のガイド部１ｆに摺動可能に保持されている。ローラ６１がガイド部１ｆを摺動することにより、引出部材６がケース１に収納され又は引き出される。
【００３８】
図９に示すように、ホルダ板スライド部８２は、ホルダ板７の左右両側の屈曲部７２の前側に設けられた一対の摺動突部７３，７３と、ケース１の左右両側の側壁１ａの内面上部に前後方向に延設された溝部１ｇとを有する。一対の摺動突部７３，７３が溝部１ｇにスライド可能に挿入されていることで、ホルダ板７がケース１に対して前後方向に移動可能に保持されている。
【００３９】
図１１，図１２に示すように、引出付勢部材８３は、引出部材６の底内壁６ｃとケース１の底壁１ｃとの間に設けられている。引出付勢部材８３は、引出部材６をケース１に対して後方側に引き出す方向に引出部材６を付勢している。引出付勢部材８３としては、特に限定しないが、例えば、コンスタントスプリングを用いる。
【００４０】
図１１に示すように、ロック機構８６は、ケース１の底壁１ｃと引出部材６の底内壁６ｃとの間に設けられている。ロック機構８６は、公知のハートカム式ロック機構であり、引出部材６を収容時に収容位置にロックし、引出部材６を収容位置より前側に押し込むことでロックを解除するように設定されている。
【００４１】
引出ダンパ装置８４は、引出部材６が引出付勢部材８３により引き出されるときの引出部材６の速度の急激な変化を低減させる装置である。引出ダンパ装置８４は、補助部材５に設けられたリッド開閉付勢部材５７と同様に、ダンパギヤ８４ｃをもつ。ケース１の底壁１ｃには、ラックギヤ１９が前後方向に延設されている。ダンパギヤ８４ｃはラックギヤ１９と噛合している。引出部材６が引出付勢部材８３により引き出されるとき、引出ダンパ装置８４のダンパギヤ８４ｃはラックギヤ１９を回転移動する。ダンパギヤ８４ｃは、図略の流動液体の粘性により急激な回転角速度の変化が抑えられている。引出部材６が引出付勢部材８３により引き出されるときに、急激な速度変化を抑え、緩やかに引出部材６が引き出されるようにしている。
【００４２】
図１１に示すように、ギヤ部８５は、引出側ピニオンギヤ８７と、クラッチ部材８８と、ホルダ側ピニオンギヤ８９と、引出側ラックギヤ６５と、ホルダ側ラックギヤ７５とを有する。ホルダ側ラックギヤ７５は、ホルダ板７の屈曲部７２の下縁に、前後方向に延設されている。引出部材６の左右両側の側内壁６ａの前側には、引出部材６の前後方向の長さの半分程度の長さの引出側ラックギヤ６５が延設されている。
【００４３】
引出側ピニオンギヤ８７とクラッチ部材８８とホルダ側ピニオンギヤ８９は、引出部材６の側内壁６ａとホルダ板７の屈曲部７２との間に設けられている。引出側ピニオンギヤ８７は、ホルダ側ピニオンギヤ８９に対して左右方向内側に配置されている。引出側ピニオンギヤ８７とホルダ側ピニオンギヤ８９との間にはクラッチ部材８８が介在されている。クラッチ部材８８は、引出側ピニオンギヤ８７又はホルダ側ピニオンギヤ８９のいずれかに回転方向と逆方向に所定の限界荷重以上の荷重が加わったときに、一方の回転力を他方に伝達しないか、又は一方の回転力を緩和して他方に伝達する。
【００４４】
図１１に示すように、ケース１の側壁１ａの内面にはボス部１ｈが突設されている。引出側ピニオンギヤ８７とクラッチ部材８８とホルダ側ピニオンギヤ８９とは、中心に穴をもち、これらの穴にボス部１ｈが挿入され、ボス部１ｈの中にネジ１ｊが挿入されることで、引出側ピニオンギヤ８７とクラッチ部材８８とホルダ側ピニオンギヤ８９とがケース１の側壁１ａに回転可能に支持されている。図８に示すように、引出部材６の左右両側の側内壁６ａには、引出側ラックギヤ６５の上部に、引出側ラックギヤ６５と平行に延びる浅い深さの凹状部６７が形成されている。凹状部６７は、引出側ピニオンギヤ８７とクラッチ部材８８とホルダ側ピニオンギヤ８９を、引出側ラックギヤ６５と平行に移動可能に収容している。
【００４５】
図１１に示すように、クラッチ部材８８としては、摩擦抵抗の高い摺接材などを用いるとよい。摺接材は、引出側ピニオンギヤ８７及びホルダ側ピニオンギヤ８９に対して摩擦抵抗で両者間の回転力を伝達する。引出側ピニオンギヤ８７及びホルダ側ピニオンギヤ８９の一方に回転力と反対方向の荷重が加わり該荷重が限界荷重以上となって摩擦抵抗を超えたときには、摺接材は、引出側ピニオンギヤ８７とホルダ側ピニオンギヤ８９との間の回転力の伝達を絶つか又は緩和させる。摺接材としては、例えば、フェルトがあげられる。本実施形態ではフェルトを用いる。
【００４６】
本実施形態において、ギヤ部８５には、更に、引出側ピニオンギヤ８７及びホルダ側ピニオンギヤ８９の一方から他方に回転力を離接する限界荷重を調整するために、ホルダ側ピニオンギヤ８９とこれと対向するケース１の側壁１ａとの間に弾性材を設けてもよい。弾性材は、例えば、弾性ワッシャ、板バネ、コイルバネのいずれでもよい。弾性ワッシャは、スプリングワッシャ、シリコンワッシャなどがあげられる。
【００４７】
図１２に示すように、引出側ピニオンギヤ８７は、その下部において、引出部材６に設けられた引出側ラックギヤ６５と噛合している。ホルダ側ピニオンギヤ８９は、その上部において、ホルダ板７に設けられたホルダ側ラックギヤ７５と噛合している。
【００４８】
図１３に示すように、引出部材６がケース１に収容されているときには、ホルダ板７は引出部材６の空間部６０の後側に位置している。
【００４９】
ホルダ板７の保持穴７０に何も挿入されていないとき、引出部材６を後側に引き出すと、引出側ピニオンギヤ８７は引出側ラックギヤ６５上を回転移動する。ホルダ板７は何ら保持していないため、ホルダ板７の移動を規制する荷重は小さい。ホルダ側ピニオンギヤ８９に加わる回転方向と反対側の荷重は小さい。このため、引出側ピニオンギヤ８７の回転力はクラッチ部材８８としての摺接材の摩擦抵抗によりホルダ側ピニオンギヤ８９に伝達される。
【００５０】
図１１，図１３に示すように、ロック機構８６を解除して引出付勢部材８３の付勢力により引出部材６が後側に引き出されると、引出側ピニオンギヤ８７とホルダ側ピニオンギヤ８９が図１３の紙面上の反時計方向に同期回転する。これにより、引出部材６は後方に引き出され、ホルダ板７は、ケース１の側壁１ａに形成された溝部１ｇに沿って、引出部材６とは反対側の前側に移動され、前内壁６ｂを超えて収容部１０の前側に移動される。図１４に示すように、引出部材６は、底内壁６ｃに設けたローラ６１がケース１の底壁１ｃに設けた係止部１５に係止され、その引出位置で停止される。
【００５１】
図１５に示すように、引出部材６が引出位置にあるときに可動蓋２を開くと、引出部材６の空間部６０の全体が開放され、引出部材６全体を収納部として利用できる。また、引出部材６内の収納品の出し入れもし易い。
【００５２】
図１５に示すように、引き出された引出部材６は、操作者により前側に押されると、引出側ピニオンギヤ８７とホルダ側ピニオンギヤ８９とが図１５の紙面上の時計方向に同期回転することにより、引出付勢部材８３の付勢力に抗して、引出部材６が前側移動される。これにともない、ホルダ板７は後方側に移動される。
【００５３】
一方、図１６に示すように、ホルダ板７の保持穴７０に飲料の入った飲料容器Ｌが挿入されているときに引出部材６を後側に引き出す場合には、引出側ラックギヤ６５上を引出側ピニオンギヤ８７が回転移動する。しかし、ホルダ板７は飲料容器Lを保持しており、ホルダ側ピニオンギヤ８９には、回転方向と反対側の荷重が加わっている。ホルダ側ピニオンギヤ８９に加わっている荷重は、クラッチ部材８８の限界荷重以上である。このため、引出側ピニオンギヤ８７の回転力は、ホルダ側ピニオンギヤ８９には伝わらず、ホルダ側ピニオンギヤ８９はほぼ停止している。引出側ピニオンギヤ８７単独で引出側ラックギヤ６５上を回転移動する。図１７に示すように、ホルダ板７は、引出部材６に対する相対位置を変化させることなく、引出部材６とともに後方側に引き出される。この状態で引出部材６を前側に押すと、引出部材６はホルダ板７とともに前側に移動されケース１内に収容される。
【００５４】
図１８に示すように、飲料容器Ｌを保持穴７０に挿入した状態で引出部材６をホルダ板７とともに後方側に引き出した後に可動蓋２を閉止位置にする。この後に引出部材６を前側に押すと、引出部材６は途中までホルダ板７とともに前側に移動される。途中で飲料容器Ｌが可動蓋２の後方縁に引っかかり、それ以上引出部材６及びホルダ板７が前進することはない。
【００５５】
本実施形態によれば、固定ギヤ１１とリッドギヤ２３との間に遊星ギヤ５２を設けて、遊星ギヤ５２を固定ギヤ１１とリッドギヤ２３とに噛合させている。可動蓋２に荷重を加えると可動蓋２が開方向又は閉方向に移動して、リッドギヤ２３が遊星ギヤ５２を回転移動させる。
【００５６】
ここで、遊星ギヤ５２は、固定ギヤ１１を太陽ギヤとして、固定ギヤ１１の中心を中心に円弧状に公転しながら自転する。リッドギヤ２３は、遊星ギヤ５２の公転自転により、固定ギヤ１１の中心を中心に円弧状に公転しながら自転する。リッドギヤ２３を設けた可動蓋２は、固定ギヤ１１を設けたケース１に対して、円弧状の移動軌跡を描きながら開閉移動する。可動蓋２の移動軌跡は、円弧状の曲線となる。したがって、例えば、可動蓋２の開位置と閉位置とで高低差をつけることが可能となる。
【００５７】
上記実施形態によれば、新規な構成で可動蓋２の開閉時の移動軌跡を非直線とすることができる。また、本実施形態の可動蓋２は、揺動式の蓋体とは異なって（特許文献５参照）、姿勢を水平方向に維持した状態で開閉するため、可動蓋２の姿勢を大きく変えることなく開閉でき、開時の可動蓋２がケース１の高さ方向のスペースの妨げとなることはない。開時の可動蓋２が視界の邪魔になることもない。
【００５８】
また、開時の可動蓋２は固定蓋３の上に重なるため、ケース１の水平方向に可動蓋２がはみだすことはない。ケース１の周囲に水平方向の空間を設ける必要はない。
【００５９】
また、本実施形態では、可動蓋２にスライド部材を設けていないため、可動蓋２を軽量化することができる。
【００６０】
また、固定ギヤ１１、遊星ギヤ５２及びリッドギヤ２３の大きさ及びこれらの相対位置などにより、リッドギヤ２３の移動軌跡を任意に調整することができる。
【００６１】
また、固定ギヤ１１の１歯当たりの角度αとリッドギヤ２３の１歯当たりの角度βを調整することで、開閉移動に伴う可動蓋２の傾斜角度を調整できる。たとえば、固定ギヤ１１の１歯当たりの角度αとリッドギヤ２３の１歯当たりの角度βを略同じとすると、可動蓋２の移動時に、リッドギヤ２３において遊星ギヤ５２が移動する部分の回転角度は、固定ギヤ１１において遊星ギヤ５２が移動する部分の回転角度と略同一となり、可動蓋２の向きを一定に維持しながら可動蓋２を開閉移動させることができる。例えば、固定ギヤの１歯当たりの角度α及びリッドギヤの１歯当たりの角度βが、０．８≦α／β≦１．２の関係とするとよい。
【００６２】
更に、本実施形態では、引出部材６及びホルダ板７を前後方向にスライドさせるスライド機構８が設けられている。スライド機構８によれば、ホルダ側ピニオンギヤ８９に加わる回転方向と逆方向の荷重が限界荷重未満の場合には、引出部材６を後方側に引き出すと、これと反対側にホルダ板７が前側のケース１内に収納され、ホルダ板７は引出部材６よりも前側に移動される。この状態で可動蓋２を開くと、引出部材６の空間部６０全体が露出される。引出部材６の空間部６０全体が開放され、空間部６０全体を収納部として利用できる。また、引出部材６内の収納品の出し入れもし易い。
【００６３】
一方、ホルダ側ピニオンギヤ８９に加わる回転方向と逆方向の荷重が限界荷重以上の場合に、クラッチ部材８８がホルダ側ピニオンギヤ８９と引出側ピニオンギヤ８７との間で回転力の伝達を絶つ。このため、引出部材６を後方側に引き出すと、ホルダ板７は引出部材６とともに後方側に引き出される。ホルダ板７の保持穴７０に飲料容器Ｌが挿入されている場合、引出部材６を引き出したときに飲料容器Ｌを保持しているホルダ板７も引出部材６とともに後方側に引き出される。
【００６４】
（第２の実施形態）
第２の実施形態の蓋付き収納装置は、自動車の室内前席中央のセンターコンソールに設けられている。蓋付き収納装置は、図１９，図２０に示すように、収容部１０を有するケース１と、収容部１０を開閉可能に被覆する蓋体２５とを有する。蓋体２５は肘掛としても用いられる。蓋体２５は、閉時には収容部１０の全体を覆い（図１９）、開時には閉時の閉位置よりも後側に移動して収容部１０の前側を開口させる（図２０）。図２１に示すように、蓋体２５の後端部には、蓋体２５をケース１に対して上下方向に揺動させる揺動部２６が設けられている。
【００６５】
図２２、図２３に示すように、蓋体２５の後端部の左右両側には、前側に向かって延びる連結部２７が設けられている。連結部２７は、ケース１の収容部１０の左右両側の縁部の上に配置されている。連結部２７の前端部から下方に向けてアーム２２が延びている。アーム２２の下側には円弧状のリッドギヤ２３が設けられている。
【００６６】
ケース１は、外装部材１８により囲まれている。ケース１は、底壁１ｃと左右一対の側壁１ａ、１ａと図略の前壁及び後壁１ｄと、これらの壁で囲まれた収容部１０とを有する。
【００６７】
ケース１の左右両側の側壁１ａには、固定ギヤ１１が設けられている。固定ギヤ１１は、側壁１ａの下縁から上側に向けて略半円弧形状に形成されている。ケース１の側壁１ａの下縁近傍には、固定ギヤ１１の中心穴１１ａが形成されている。固定ギヤ１１とリッドギヤ２３との間には、遊星ギヤ５２が設けられている。遊星ギヤ５２は、平歯ギヤであり、全周に歯を配列させている。固定ギヤ１１と遊星ギヤ５２とリッドギヤ２３には、補助部材５が設けられている。固定ギヤ１１、遊星ギヤ５２、及びリッドギヤ２３の中心穴１１ａ、５２ａ、２３ａ、及び各中心穴に対応する補助部材５の取付穴５ａ、５ｂ、５ｃにビスを挿入することで、補助部材５は固定ギヤ１１、遊星ギヤ５２及びリッドギヤ２３に連結される。補助部材５は、遊星ギヤ５２及びリッドギヤ２３を固定ギヤ１１に対して回転移動可能に保持する。
【００６８】
図２４に示すように、遊星ギヤ５２は、固定ギヤ１１及びリッドギヤ２３に噛合している。蓋体２５を移動させるとリッドギヤ２３は遊星ギヤ５２を移動させる。遊星ギヤ５２は固定ギヤ１１に対して自転しながら円弧状に公転する。リッドギヤ２３は、自転しながら、固定ギヤ１１を中心とする円弧状の軌跡を描きながら公転する。また、固定ギヤ１１の１歯当たりの角度αとリッドギヤ２３の１歯当たりの角度βと同じである。このため、リッドギヤ２３が回転したとき、リッドギヤ２３において遊星ギヤ５２が移動する部分の回転角度は、固定ギヤ１１において遊星ギヤ５２が移動する部分の回転角度と同じとなる。蓋体２５の開閉移動のときに、蓋体２５のケース１に対する相対角度は変化しない。蓋体２５は、水平に姿勢を維持した状態で開閉移動する。
【００６９】
（１）上記実施形態の蓋付き収納装置は、収容部１０を有するケース１と、収容部１０を開閉可能に被覆する蓋体（可動蓋２、蓋体２５）とを備えた蓋付き収納装置であって、
ケース１に設けられた固定ギヤ１１と、蓋体に設けられたリッドギヤ２３と、固定ギヤ１１とリッドギヤ２３との間に設けられ固定ギヤ１１及びリッドギヤ２３に噛合している遊星ギヤ５２とを更に備えることを特徴とする。
【００７０】
上記実施形態によれば、固定ギヤ１１とリッドギヤ２３との間に遊星ギヤ５２を設けて、遊星ギヤ５２を固定ギヤ１１とリッドギヤ２３とに噛合させている。蓋体に荷重を印加すると蓋体が開方向又は閉方向に移動して、リッドギヤ２３が遊星ギヤ５２を回転移動させる。
【００７１】
ここで、遊星ギヤ５２が１つの回転中心（中心穴５２ａ）をもつ場合、遊星ギヤ５２は、固定ギヤ１１を太陽ギヤとして、固定ギヤ１１を中心に円弧状に公転しながら自転する。リッドギヤ２３は、遊星ギヤ５２の公転自転により、固定ギヤ１１を中心に円弧状に公転しながら自転する。リッドギヤ２３を設けた蓋体は、固定ギヤ１１を設けたケース１に対して、円弧状の移動軌跡を描きながら開閉移動する。蓋体の移動軌跡は、円弧状の曲線となる。遊星ギヤ５２が複数であり、複数の遊星ギヤ５２が互い噛合している場合には、遊星ギヤ５２の数及び径により、蓋体は更に複雑な曲線を描いて開閉移動させることができる。したがって、上記実施形態によれば、蓋体の開位置と閉位置とで高低差をつけることが可能となる。
【００７２】
上記実施形態によれば、新規な構成で蓋体の開閉時の移動軌跡を非直線とすることができる。
【００７３】
また、上記実施形態では、蓋体にスライド部材を設けていないため、蓋体を軽量化することができる。
【００７４】
（２）蓋体の移動軌跡は、固定ギヤ１１を中心とする弧状であるとよい。
【００７５】
（３）固定ギヤ１１の回転中心（中心穴１１ａ）、リッドギヤ２３の回転中心（中心穴２３ａ）及び遊星ギヤ５２の回転中心（中心穴５２ａ）に連結された補助部材５を更に備えることが好ましい。固定ギヤ１１、リッドギヤ２３及び遊星ギヤ５２を、互いの相対位置を保ちながら、安定にリッドを開閉移動させることができる。
【００７６】
（４）リッドギヤ２３及び固定ギヤ１１は、固定ギヤ１１の１歯当たりの角度α及びリッドギヤ２３の１歯当たりの角度βが０．８≦α／β≦１．２の関係となるように設定されていることがよい。更には、リッドギヤ２３及び固定ギヤ１１は、固定ギヤの１歯当たりの角度α及びリッドギヤの１歯当たりの角度βが０．９≦α／β≦１．１の関係となるように設定されていることが好ましい。リッドギヤ２３の１歯当たりの角度βは、固定ギヤ１１の１歯当たりの角度αと略同一となる。リッドギヤ２３を回転させたときに、リッドギヤ２３において遊星ギヤ５２が移動する部分の回転角度は、固定ギヤ１１において遊星ギヤ５２が移動する部分の回転角度と略同一となる。ケース１に対する可動蓋２の相対角度を維持しながら開閉移動させることができる。
【００７７】
また、αとβが、β＜αの関係となるようにリッドギヤ２３及び固定ギヤ１１が設定されている場合には、リッドギヤ２３の１歯当たりの角度βが固定ギヤ１１の１歯当たりの角度αよりも小さい。このため、リッドギヤ２３が回転したとき、リッドギヤ２３において遊星ギヤ５２が移動する部分の回転角度は、固定ギヤ１１において遊星ギヤ５２が移動する部分の回転角度よりも小さくなる。蓋体が閉位置の向きから、蓋体が開位置に向けて移動するに伴って、蓋体の進行方向の前端が、後端よりも下側に傾斜した状態に変化する。
【００７８】
逆に、αとβが、β＞αの関係となるようにリッドギヤ２３及び固定ギヤ１１が設定されている場合には、リッドギヤ２３の１歯当たりの角度βが固定ギヤ１１の１歯当たりの角度αよりも大きい。このため、リッドギヤ２３が回転したとき、リッドギヤ２３において遊星ギヤ５２が移動する部分の回転角度は、固定ギヤ１１において遊星ギヤ５２が移動する部分の回転角度よりも大きくなる。蓋体が閉位置の向きから、蓋体が開位置に向けて移動するに伴って、蓋体の進行方向の前端が、後端よりも上側に傾斜した状態に変化する。
【００７９】
（５）ケース１には、固定ギヤ１１の回転中心を中心とする円弧形状であって遊星ギヤ５２の回転中心を移動可能に保持するガイド溝１２が設けられていることが好ましい。遊星ギヤ５２をケース１に対して安定に移動させることができる。
【００８０】
その他、上記実施形態の蓋付き収納装置は以下の構成を備えることがよい。
【００８１】
（６）上記実施形態の蓋付き収納装置は、収容部１０を有するケース１と、収容部１０に引き出し可能に収容された引出部材６と、引出部材６の上にスライド可能に配置されたホルダ板７と、引出部材６及びホルダ板７を前後方向にスライドさせるスライド機構８と、を備え、スライド機構８は、引出部材６に設けられた引出側ラックギヤ６５と、ホルダ板７に設けられたホルダ側ラックギヤ７５と、ケース１に回転自在に軸支され引出側ラックギヤ６５及びホルダ側ラックギヤ７５に中心を挟んで互いに反対側で噛合するピニオンギヤ（引出側ピニオンギヤ８７及びホルダ側ピニオンギヤ８９）と、を有することを特徴とする。
【００８２】
上記構成によれば、引出部材６をケース１から引き出すときには、ピニオンギヤは一端側で引出側ラックギヤ６５と噛合しており、ホルダ側ピニオンギヤ８９はピニオンギヤの中心を挟んでその反対側の他端側でホルダ側ラックギヤ７５と噛合している。引出部材６を引き出すと、ピニオンギヤは引出側ラックギヤ６５上を引出方向に移動するとともに、ホルダ側ラックギヤ７５上を引出方向と反対側の収容方向側に移動する。これにより、引出部材６を被覆しているホルダ板７が引出部材６と反対側に移動されケース１の中に収容される。引き出された引出部材６は、ホルダ板７が前側に退去されていてホルダ板７で被覆されておらず、引出部材６の中が大きく開放される。
【００８３】
（７）ピニオンギヤは、ホルダ側ラックギヤ７５と噛合するホルダ側ピニオンギヤ８９と、引出側ラックギヤ６５と噛合する引出側ピニオンギヤ８７と、ホルダ側ピニオンギヤ８９と引出側ピニオンギヤ８７との間に介在されたクラッチ部材８８とを有し、クラッチ部材８８は、ホルダ側ピニオンギヤ８９及び引出側ピニオンギヤ８７の一方に回転方向と逆方向に所定の限界荷重以上の荷重が加わったときにホルダ側ピニオンギヤ８９及び引出側ピニオンギヤ８７の間の回転力の伝達を緩和ないし停止することが好ましい。
【００８４】
ホルダ側ピニオンギヤ８９及び引出側ピニオンギヤ８７の一方に回転方向と逆方向に所定の限界荷重以上の荷重が加わったときにホルダ側ピニオンギヤ８９及び引出側ピニオンギヤ８７の間の回転力の伝達を緩和ないし停止することで、無理に引出部材６とホルダ板７とを反対方向に移動させることが抑制される。例えば、ホルダ板７に飲料容器Ｌが保持されている場合に、引出部材６を引き出したときにホルダ板７が逆方向にケース１内に収容されることを防止できる。
【００８５】
（８）クラッチ部材８８は、ホルダ側ピニオンギヤ８９及び引出側ビニオンギヤ８７に摺接する摺接材であることがよい。クラッチ部材８８の構成を簡素にすることができる。
【００８６】
（６）〜（８）は、（１）〜（５）のいずれと組み合わせることができる。
【符号の説明】
【００８７】
１：ケース、１０：収容部、１１：固定ギヤ、１１ａ：中心穴（回転中心）、１２：ガイド溝、１３：キャッチャ、２：可動蓋、２３：リッドギヤ、２３ａ：中心穴（回転中心）、２５：蓋体、３：固定蓋、３１：取付板、５：補助部材、５２：遊星ギヤ、５２ａ：中心穴（回転中心）、６：引出部材、６０：空間部、６５：引出側ラックギヤ、７：ホルダ板、７０：保持穴、７１：板状部、７２：屈曲部、７５：ホルダ側ラックギヤ、８：スライド機構、８１：引出スライド部８１、８２：ホルダ板スライド部、８３：引出付勢部材、８４：引出ダンパ装置、８５：ギヤ部、８６：ロック機構、８７：引出側ピニオンギヤ、８８：クラッチ部材、８９：ホルダ側ピニオンギヤ。
【図１】
2017087787.tif 000003
【図２】
2017087787.tif 000004
【図３】
2017087787.tif 000005
【図４】
2017087787.tif 000006
【図５】
2017087787.tif 000007
【図６】
2017087787.tif 000008
【図７】
2017087787.tif 000009
【図８】
2017087787.tif 000010
【図９】
2017087787.tif 000011
【図１０】
2017087787.tif 000012
【図１１】
2017087787.tif 000013
【図１２】
2017087787.tif 000014
【図１３】
2017087787.tif 000015
【図１４】
2017087787.tif 000016
【図１５】
2017087787.tif 000017
【図１６】
2017087787.tif 000018
【図１７】
2017087787.tif 000019
【図１８】
2017087787.tif 000020
【図１９】
2017087787.tif 000021
【図２０】
2017087787.tif 000022
【図２１】
2017087787.tif 000023
【図２２】
2017087787.tif 000024
【図２３】
2017087787.tif 000025
【図２４】
2017087787.tif 000026